(57)【要約】【課題】電子機器において、電子メールに添付するファイルを容易に選択可能にする。【解決手段】電子機器１は、電子メールデータ３５を生成する生成部４１と、生成部４１の生成に係る電子メールの宛先情報を入力または選択する操作部１２と、ファイル３３を記憶可能なファイル記憶部２２と、操作部１２により入力または選択された電子メールの宛先情報に基づいてファイル記憶部２２を検索し、当該宛先情報と関連性のあるファイル３３を抽出する抽出部４３とを有する。生成部４１は、抽出部４３により抽出されたファイル３３を作成中の電子メールの添付ファイル候補とする。【選択図】図３
2011095896.tif 000002
【特許請求の範囲】
【請求項１】
電子メールを生成する生成部と、
前記生成部の生成に係る電子メールの宛先情報を入力または選択する操作部と、
ファイルを記憶可能なファイル記憶部と、
前記操作部により入力または選択された電子メールの宛先情報に基づいて前記ファイル記憶部を検索し、当該宛先情報と関連性のあるファイルを抽出する抽出部と、
を有し、
前記生成部は、
前記抽出部により抽出されたファイルを前記作成中の電子メールの添付ファイル候補とする
電子機器。
【請求項２】
前記生成部により生成中の電子メールを表示する表示部を有し、
前記生成部は、
前記操作部に対して添付ファイルの選択画面の表示操作がなされた場合に、前記抽出部により抽出されたファイルを前記操作部により選択可能に前記表示部に表示させる
請求項１記載の電子機器。
【請求項３】
前記抽出部は、
前記操作部により前記生成中の電子メールの宛先情報が入力または選択された際に、前記ファイル記憶部の検索および抽出を開始する
請求項２記載の電子機器。
【請求項４】
前記表示部は、
前記抽出部により抽出された複数のファイルを表示し、
前記操作部は、
前記抽出部によるファイル抽出の追加検索条件を入力または選択し、
前記抽出部は、
前記表示部の表示に係る前記複数のファイルを前記追加検索条件により絞り込み、前記表示部に、前記追加検索条件により絞り込まれたファイルを前記操作部により選択可能に表示させる
請求項２または３記載の電子機器。
【請求項５】
撮像した画像のファイルを前記ファイル記憶部に記憶させる撮像部と、
前記電子メールの宛先情報と対応付けて宛先人の画像の情報を記憶可能な宛先記憶部と
を有し、
前記抽出部は、
前記宛先記憶部において前記操作部に入力または選択された電子メールの宛先情報と対応付けられた宛先人の画像をキー画像に用いて前記ファイル記憶部を検索し、当該キー画像を含む画像のファイルを抽出する
請求項１から４のいずれか一項記載の電子機器。
【請求項６】
前記抽出部は、
前記生成部が生成中の電子メールに対して前記操作部により複数の電子メールの宛先情報が入力または選択された場合、前記宛先記憶部において当該複数の電子メールの宛先情報に対応する複数の宛先人の画像をキー画像に用いて前記ファイル記憶部を検索し、当該複数のキー画像を含む画像のファイルを抽出する
請求項５記載の電子機器。
【請求項７】
前記宛先記憶部は、
複数の電子メールの宛先情報をグループ化して記憶し、
前記抽出部は、
前記操作部により前記宛先記憶部のグループに含まれる電子メールの宛先情報が入力または選択された場合、当該グループ内のすべての宛先人の画像をキー画像に用いて前記ファイル記憶部を検索し、当該複数のキー画像を含む画像のファイルを抽出する
請求項５または６記載の電子機器。
【請求項８】
電子メールを送受信する送受信部と、
前記送受信部により送受信された電子メールの宛先情報および送信日時または受信日時を記憶する履歴記憶部と
を有し、
前記記憶部は、
前記画像のファイルの日付情報を記憶し、
前記抽出部は、
前記履歴記憶部を参照して、前記操作部により入力または選択された電子メールの宛先情報に対して最後に送受信した日以降の日付情報を有する画像のファイルを抽出する
請求項５から７のいずれか一項記載の電子機器。
【請求項９】
前記抽出部は、
前記生成部の生成中の電子メールのタイトルまたは本文に入力されたテキストデータと関連性のある画像のファイルを抽出する
請求項５から８のいずれか一項記載の電子機器。
【請求項１０】
前記ファイル記憶部は、
記憶している画像のファイルの作成または更新の日付情報を記憶し、
前記抽出部は、
前記生成部の生成中の電子メールのタイトルまたは本文に日付が入力されている場合、当該日付と同じ日付情報を有する画像のファイルを抽出する
請求項８記載の電子機器。
【請求項１１】
前記電子メールの宛先情報と対応付けて宛先人に関するテキスト情報を記憶する宛先記憶部を有し、
前記抽出部は、
前記宛先記憶部において前記操作部により入力または選択された宛先情報と対応付けられたテキスト情報をキー情報に用いて前記ファイル記憶部を検索し、当該キー情報を含むファイルを抽出する
請求項１から４のいずれか一項記載の電子機器。
【請求項１２】
前記表示部は、
前記抽出部により抽出された複数のファイルを、前記宛先情報との関連性が高い順番に表示する
請求項２記載の電子機器。
【請求項１３】
電子メールの宛先情報を入力または選択する操作部およびファイルを記憶可能なファイル記憶部が接続された制御部を有する電子機器での、前記制御部による電子メールの生成方法であって、
電子メールの生成中に前記操作部により入力または選択された電子メールの宛先情報を取得するステップと、
取得した前記電子メールの宛先情報に基づいて前記ファイル記憶部を検索し、取得した宛先情報と関連性のあるファイルを、前記作成中の電子メールの添付ファイル候補として抽出するステップと
を有する電子メール生成方法。
【発明の詳細な説明】
【技術分野】
【０００１】
本発明は、添付ファイル付きの電子メールを作成する電子機器および電子メール生成方法に関する。
【背景技術】
【０００２】
近年の携帯電話機などの電子機器は、大容量の記憶部を有する。記憶部には、たとえば電子機器の撮像部により撮像した画像のファイル、電子機器によりダウンロードした楽曲のファイルなどを大量に記憶させることができる。
また、特許文献１に開示されるように、携帯電話機などの電子機器は、電子メールを送受信する機能を有する。
また、携帯電話機などの電子機器は、送信する電子メールに、上述した画像のファイル、楽曲のファイルなどを添付することも可能である。
【先行技術文献】
【特許文献】
【０００３】
【特許文献１】特開２００９−０４３２０４号公報
【発明の概要】
【発明が解決しようとする課題】
【０００４】
しかしながら、たとえば電子メールを作成する際に、携帯電話機などの電子機器に大量に保存された画像のファイルから、ユーザ自身が所望のファイルを選択する作業は手間と時間がかかる。
【０００５】
このように携帯電話機などの電子機器では、電子メールに添付するファイルを容易に選択可能にすることが求められている。
【課題を解決するための手段】
【０００６】
本発明の第１の観点の電子機器は、電子メールを生成する生成部と、前記生成部の生成に係る電子メールの宛先情報を入力または選択する操作部と、ファイルを記憶可能なファイル記憶部と、前記操作部により入力または選択された電子メールの宛先情報に基づいて前記ファイル記憶部を検索し、当該宛先情報と関連性のあるファイルを抽出する抽出部と、を有し、前記生成部は、前記抽出部により抽出されたファイルを前記作成中の電子メールの添付ファイル候補とする。
【０００７】
好適には、前記生成部により生成中の電子メールを表示する表示部を有し、前記生成部は、前記操作部に対して添付ファイルの選択画面の表示操作がなされた場合に、前記抽出部により抽出されたファイルを前記操作部により選択可能に前記表示部に表示させてもよい。
【０００８】
好適には、前記抽出部は、前記操作部により前記生成中の電子メールの宛先情報が入力または選択された際に、前記ファイル記憶部の検索および抽出を開始してもよい。
【０００９】
好適には、前記表示部は、前記抽出部により抽出された複数のファイルを表示し、前記操作部は、前記抽出部によるファイル抽出の追加検索条件を入力または選択し、前記抽出部は、前記表示部の表示に係る前記複数のファイルを前記追加検索条件により絞り込み、前記表示部に、前記追加検索条件により絞り込まれたファイルを前記操作部により選択可能に表示させてもよい。
【００１０】
好適には、撮像した画像のファイルを前記ファイル記憶部に記憶させる撮像部と、前記電子メールの宛先情報と対応付けて宛先人の画像の情報を記憶可能な宛先記憶部とを有し、前記抽出部は、前記宛先記憶部において前記操作部に入力または選択された電子メールの宛先情報と対応付けられた宛先人の画像をキー画像に用いて前記ファイル記憶部を検索し、当該キー画像を含む画像のファイルを抽出してもよい。
【００１１】
好適には、前記抽出部は、前記生成部が生成中の電子メールに対して前記操作部により複数の電子メールの宛先情報が入力または選択された場合、前記宛先記憶部において当該複数の電子メールの宛先情報に対応する複数の宛先人の画像をキー画像に用いて前記ファイル記憶部を検索し、当該複数のキー画像を含む画像のファイルを抽出してもよい。
【００１２】
好適には、前記宛先記憶部は、複数の電子メールの宛先情報をグループ化して記憶し、前記抽出部は、前記操作部により前記宛先記憶部のグループに含まれる電子メールの宛先情報が入力または選択された場合、当該グループ内のすべての宛先人の画像をキー画像に用いて前記ファイル記憶部を検索し、当該複数のキー画像を含む画像のファイルを抽出してもよい。
【００１３】
好適には、電子メールを送受信する送受信部と、前記送受信部により送受信された電子メールの宛先情報および送信日時または受信日時を記憶する履歴記憶部とを有し、前記記憶部は、前記画像のファイルの日付情報を記憶し、前記抽出部は、前記履歴記憶部を参照して、前記操作部により入力または選択された電子メールの宛先情報に対して最後に送受信した日以降の日付情報を有する画像のファイルを抽出してもよい。
【００１４】
好適には、前記抽出部は、前記生成部の生成中の電子メールのタイトルまたは本文に入力されたテキストデータと関連性のある画像のファイルを抽出してもよい。
【００１５】
好適には、前記ファイル記憶部は、記憶している画像のファイルの作成または更新の日付情報を記憶し、前記抽出部は、前記生成部の生成中の電子メールのタイトルまたは本文に日付が入力されている場合、当該日付と同じ日付情報を有する画像のファイルを抽出してもよい。
【００１６】
好適には、前記電子メールの宛先情報と対応付けて宛先人に関するテキスト情報を記憶する宛先記憶部を有し、前記抽出部は、前記宛先記憶部において前記操作部により入力または選択された宛先情報と対応付けられたテキスト情報をキー情報に用いて前記ファイル記憶部を検索し、当該キー情報を含むファイルを抽出してもよい。
【００１７】
好適には、前記表示部は、前記抽出部により抽出された複数のファイルを、前記宛先情報との関連性が高い順番に表示してもよい。
【００１８】
本発明の第２の観点の電子メール生成方法は、電子メールの宛先情報を入力または選択する操作部およびファイルを記憶可能なファイル記憶部が接続された制御部を有する電子機器での、前記制御部による電子メールの生成方法であって、電子メールの生成中に前記操作部により入力または選択された電子メールの宛先情報を取得するステップと、取得した前記電子メールの宛先情報に基づいて前記ファイル記憶部を検索し、取得した宛先情報と関連性のあるファイルを、前記作成中の電子メールの添付ファイル候補として抽出するステップとを有する。
【発明の効果】
【００１９】
本発明では、電子機器において電子メールに添付するファイルを容易に選択可能にできる。
【図面の簡単な説明】
【００２０】
【図１】図１は、本発明の実施形態に係る携帯電話機の外観の斜視図である。
【図２】図２は、図１の携帯電話機のハードウェア構成図である。
【図３】図３は、電子メール生成時に図１の携帯電話機に実現される機能を示すブロック図である。
【図４】図４は、図３のアドレス帳データのデータ構造の一例の説明図である。
【図５】図５は、図１の携帯電話機による電子メールの生成および送信処理のフローチャートである。
【図６】図６は、図５の電子メールの生成および送信処理において、表示部に表示される各種の画面の説明図である。
【図７】図７は、図３の抽出部に再検索処理を実行させる場合のフローチャートである。
【図８】図８は、図７の再検索処理において表示部に表示される画面の説明図である。
【図９】図９は、図３の生成部によりキー画像を更新する場合のフローチャートである。
【図１０】図１０は、図９のキー画像の更新処理において表示部に表示される画面の説明図である。
【発明を実施するための形態】
【００２１】
以下、本発明の実施形態を図面に関連付けて説明する。
図１は、本発明の実施形態に係る携帯電話機１の外観の斜視図である。
図１の携帯電話機１は、上部筐体１０１、下部筐体１０２およびヒンジ部１０３を有する。
【００２２】
上部筐体１０１および下部筐体１０２は、略同一サイズの長方形形状を有する。
上部筐体１０１と下部筐体１０２とは、ヒンジ部１０３により開閉可能に連結される。
図１は、上部筐体１０１と下部筐体１０２とを開いた状態である。
上部筐体１０１には、表示部１３が設けられる。
下部筐体１０２には、操作部１２の複数の入力キーが設けられる。
【００２３】
図２は、図１の携帯電話機１のハードウェア構成図である。
図１の携帯電話機１は、たとえば無線通信部（ＲＦ）１１、操作部（ＫＥＹ）１２、表示部（ＤＩＳＰ）１３、入出力部（Ｉ／Ｏ）１４、音声モデム部（ＭＯＤＥＭ）１５、撮像部（ＣＡＭ）１６、ＣＰＵ（Central Processing Unit：制御部）１７、記憶部（ＭＥＭ）１８、およびこれらを接続するシステムバス１９を有する。
【００２４】
無線通信部１１は、図示しない基地局との通信チャネルを確立し、基地局と通信データを送受する。
そして、無線通信部１１は、ＣＰＵ１７からの入力信号に含まれる通信データを基地局へ無線送信する。
また、無線通信部１１は、基地局から受信した通信データを含む信号をＣＰＵ１７へ出力する。
【００２５】
操作部１２は、複数の入力キーを有する。
複数の入力キーには、たとえばテンキー、電源キー、通話キー、数字キー、文字キー、発信キーなどがある。
入力キーは、図１に示すように、携帯電話機１の下部筐体１０２に配置される。
そして、操作部１２は、ユーザにより操作された入力キーに対応する入力データを含む操作信号をＣＰＵ１７へ出力する。
【００２６】
表示部１３は、ＬＣＤ（Liquid Crystal Display Device）や有機ＥＬ（Electro-Luminescence）デバイスなどを有する。
ＬＣＤまたは有機ＥＬデバイスは、図１に示すように、携帯電話機１の上部筐体１０１に配置される。
そして、表示部１３は、ＣＰＵ１７から入力された表示信号に含まれる表示データを表示する。
これにより、表示部１３には、たとえば電子メールの生成画面、添付ファイルの選択画面などを表示する。
【００２７】
音声モデム部１５は、スピーカ２０およびマイクロホン２１に接続される。
そして、音声モデム部１５は、マイクロホン２１に入力された音声をサンプリングし、音声データを含む信号をＣＰＵ１７へ出力する。
また、音声モデム部１５は、ＣＰＵ１７からの入力信号に含まれる音声データによりスピーカ２０を駆動する。
これにより、スピーカ２０から、たとえば着信した人の音声が再生される。
【００２８】
入出力部１４には、外記憶部２２が着脱可能に接続される。外記憶部２２には、たとえばフラッシュメモリなどの半導体メモリがある。
入出力部１４に外記憶部２２が接続されることにより、ＣＰＵ１７は、外記憶部２２にアクセスできる。
【００２９】
撮像部１６は、ＣＭＯＳセンサやＣＣＤなどを有する。
撮像部１６は、たとえば図１の携帯電話機１の上部筐体１０１の背面に配置される。
そして、撮像部１６は、撮像した画像データを含む撮像信号をＣＰＵ１７へ出力する。
ＣＰＵ１７は、たとえば撮像用の入力キーが操作されたタイミングに入力された画像データを、外記憶部２２に保存する。これにより、外記憶部２２には、後述する図３の画像ファイル３３が記憶される。
【００３０】
画像ファイル３３は、たとえば保存された画像データと、付加データとを有する。
付加データには、撮像日時、保存日時、撮影者などのテキスト情報を含めることができる。
また、外記憶部２２に記憶される複数の画像ファイル３３は、たとえば画像ファイル３３毎に固有のファイル名により互いに識別されている。
【００３１】
記憶部１８は、ＲＯＭ、ＲＡＭ、半導体メモリなどを有する。
記憶部１８は、ＣＰＵ１７が読み込んで実行可能なプログラム、ＣＰＵ１７が使用するデータなどを有する。
記憶部１８に記憶されるプログラムは、たとえばＣＤ−ＲＯＭ（Compact Disc Read Only Memory）などのコンピュータ読み取り可能な記録媒体に記録されたものをインストールしたものであってもよい。また、記憶部１８に記憶されるプログラムは、インターネットなどの伝送媒体を介してダウンロードしてインストールしたものであってもよい。
【００３２】
ＣＰＵ１７が使用するデータには、後述する図３に示すように、アドレス帳データ３１、顔画像ファイル３２、画像ファイル３３、ファイル名リスト３４、電子メールデータ３５、電子メールの送信履歴データ３６がある。
【００３３】
アドレス帳データ３１は、携帯電話機１のユーザが電子メールを送信する宛先人のデータを有する。
図４は、図３のアドレス帳データ３１のデータ構造の一例の説明図である。
図４のアドレス帳データ３１は、電子メールの宛先人毎のレコードを有する。
各レコードは、宛先人の名前、宛先人の電子メールアドレス、宛先人の顔を撮像した顔画像ファイル３２名、宛先人が含まれるグループ番号を含む。
グループ番号は、図４に示すように、複数の宛先人に共通の番号とすることができる。
【００３４】
顔画像ファイル３２は、アドレス帳データ３１に登録された宛先人の顔を撮像した画像のファイルである。
【００３５】
ファイル名リスト３４は、外記憶部２２から抽出されて、電子メールの添付ファイル候補とされた画像ファイル３３のファイル名のリストである。
【００３６】
電子メールデータ３５は、送信する電子メールのデータである。
電子メールデータ３５は、たとえば送信先の電子メールアドレス、タイトル、本文の情報を含む。
【００３７】
送信履歴データ３６は、電子メールの送信履歴を蓄積したデータである。
送信履歴データ３６は、送信した電子メール毎に、送信先の電子メールアドレス、送信日時などの情報を含む。
【００３８】
ＣＰＵ１７は、プログラムを実行するコンピュータである。
そして、ＣＰＵ１７が、記憶部１８に記憶されているプログラムを実行することで、携帯電話機１の制御部が実現される。
制御部は、携帯電話機１の動作を制御する。
【００３９】
図３は、電子メール生成時に図１の携帯電話機１に実現される機能を示すブロック図である。
電子メール生成時には、ＣＰＵ１７内において、電子メールの生成部（ＧＥＮ）４１、送信部（ＳＥＮＤ）４２、画像ファイル３３の抽出部（ＳＥＬ）４３が実現される。
【００４０】
生成部４１は、ユーザ操作に基づいて、電子メールを生成する。
具体的には、生成部４１は、操作部１２から入力されたテキストデータを用いて、電子メールの送信先アドレス、タイトル、本文を生成し、電子メールデータ３５を生成する。
なお、生成部４１は、アドレス帳データ３１に含まれる宛先人を表示部１３に表示し、表示した宛先人を操作部１２の操作に基づいて選択し、選択した宛先人の電子メールアドレスを電子メールの送信先アドレスとすることもできる。
また、生成部４１は、電子メールに添付するファイルを選択する。
具体的には、生成部４１は、記憶部１８に記憶されたファイル名リスト３４を読み込み、ファイル名リスト３４に登録されている画像ファイル３３の画像を表示部１３に表示させる。
そして、表示した画像が操作部１２により選択されると、選択された画像に対応する画像ファイル３３のデータを電子メールデータ３５に追加する。
また、生成部４１は、生成した電子メールデータ３５を記憶部１８に保存する。
【００４１】
送信部４２は、生成部４１により生成された電子メールを送信する。
具体的には、送信部４２は、記憶部１８から未送信の電子メールデータ３５を読み込んで、無線通信部１１へ出力する。無線通信部１１は、電子メールデータ３５を基地局へ送信する。
これにより、電子メールデータ３５は、所望の送信先へ送信される。
また、電子メールを送信すると、送信先の電子メールアドレスおよび送信日時を、送信履歴データ３６へ追記する。
これにより、送信履歴データ３６には、最近送信した電子メールの送信履歴が蓄積される。
【００４２】
抽出部４３は、外記憶部２２を検索し、電子メールに添付する画像ファイル３３の候補を抽出する。
具体的には、抽出部４３は、生成中の電子メールに送信先の電子メールアドレスが入力されると、アドレス帳データ３１を用いて当該アドレスに対応する顔画像の画像ファイル３３を選択し、選択した顔画像をキー画像に用いて外記憶部２２を検索する。
また、抽出部４３は、顔画像キーを含む画像を検出すると、当該画像の画像ファイル３３をファイル名リスト３４に登録する。
これにより、抽出部４３は、電子メールの宛先人が移った撮像画像の画像ファイル３３を抽出する。
また、抽出部４３は、検索を終了すると、ファイル名リスト３４を記憶部１８に保存する。
【００４３】
次に、以上の構成を有する携帯電話機１による電子メールの生成から送信までの動作を説明する。
図５は、図１の携帯電話機１による電子メールの生成および送信処理のフローチャートである。
【００４４】
電子メールを生成する場合、携帯電話機１では、図３の電子メールの生成機能が実現される。ユーザは、表示部１３に表示される電子メールの内容を確認しながら、操作部１２を操作する。
生成部４１は、操作部１２からの入力データ待ち状態となる（ステップＳＴ１）。
【００４５】
そして、電子メールアドレスが入力されると、生成部４１は、操作部１２から入力された電子メールアドレスに基づいて、電子メールアドレスが入力されたと判断する（ステップＳＴ２）。
生成部４１は、入力された電子メールアドレスを抽出部４３へ出力する。
【００４６】
電子メールアドレスが入力されると、抽出部４３は、生成部４１の電子メール生成処理のバックグランドにおいて、添付画像ファイル候補の抽出処理を開始する。
添付画像ファイル候補の抽出処理において、抽出部４３は、記憶部１８からアドレス帳データ３１を読み込み、入力された電子メールアドレスを検索キーに用いてアドレス帳データ３１を検索する。
これにより、抽出部４３は、当該アドレスに対応付けられた宛先人の顔画像ファイル３２のファイル名を取得する（ステップＳＴ３）。
【００４７】
次に、抽出部４３は、取得した宛先人の顔画像ファイル３２のファイル名を用いて、記憶部１８から当該ファイル名の宛先人の顔画像ファイル３２の顔画像データを取得する。
これにより、抽出部４３は、キー顔画像を取得する（ステップＳＴ４）。
【００４８】
次に、抽出部４３は、取得したキー画像（顔画像）を用いて、外記憶部２２に記憶されている画像ファイル３３を検索する。
そして、抽出部４３は、キー画像を含む画像の画像ファイル３３を抽出する（ステップＳＴ５）。
具体的にはたとえば、抽出部４３は、各画像ファイル３３の画像について顔認識処理を実行し、顔の画像を切り出し、切り出した顔画像とキー顔画像との合致度を判定する。
そして、所定の合致度以上の値が得られた場合、抽出部４３は、切り出し元の画像ファイル３３を抽出する。
また、抽出部４３は、抽出した画像ファイル３３のファイル名をファイル名リスト３４に追加する。
【００４９】
抽出部４３は、上述した顔認識に基づく一致度判定を各画像ファイル３３について実行する。
これによりファイル名リスト３４には、キー画像を含む複数の画像ファイル３３のファイル名が蓄積される。
抽出部４３は、生成したファイル名リスト３４を記憶部１８に保存する。
これにより、抽出部４３は、添付画像ファイル候補の抽出処理を終了する。
【００５０】
ステップＳＴ２において抽出部４３に電子メールアドレスに基づく抽出処理を指示した後、生成部４１は、操作部１２からの新たな入力データ待ち状態となる（ステップＳＴ１）。
そして、操作部１２に対して画像添付の操作入力があると、生成部４１は、添付するファイルの選択処理および添付処理を実行する（ステップＳＴ６）。
【００５１】
添付ファイルの選択処理において、生成部４１は、まず、抽出部４３よる添付ファイル候補の抽出処理が終了しているか否かを判断する（ステップＳＴ７）。
抽出処理が終了していない場合、生成部４１は、処理が終了するまで待つ。
【００５２】
抽出部４３よる添付ファイル候補の抽出処理が終了している場合、生成部４１は、抽出された画像を表示部１３に表示する（ステップＳＴ８）。
具体的には、生成部４１は、記憶部１８からファイル名リスト３４を読み込み、さらに、ファイル名リスト３４に登録されたファイル名の画像ファイル３３を外記憶部２２から読み込む。
そして、生成部４１は、読み込んだ画像ファイル３３の画像を表示部１３に表示させる。
また、画像を表示部１３に表示した状態において、操作部１２から画像の選択入力があると、生成部４１は当該画像を選択する（ステップＳＴ９）。
【００５３】
生成部４１は、選択した画像の画像ファイル３３を外記憶部２２から読み込み、読み込んだファイルの画像データを電子メールデータ３５に追加する（ステップＳＴ１０）。
これにより、生成部４１は、抽出部４３の抽出画像から画像を選択し、選択した画像のデータを電子メールに添付する。
【００５４】
画像ファイル３３の添付処理を終了すると、生成部４１は、操作部１２からの新たな入力データ待ち状態となる（ステップＳＴ１）。
そして、操作部１２に対してたとえば送信指示などの作業終了指示の入力があると、生成部４１は、生成中の電子メールの送信処理を実行する（ステップＳＴ１１）。
【００５５】
電子メールの送信処理において、生成部４１は、生成中の電子メールについて、宛先の電子メールアドレス、本文、タイトル、添付ファイルの有無を確認する（ステップＳＴ１２）。
【００５６】
確認処理を終えると、生成部４１は、電子メールデータ３５を送信部４２へ出力する（ステップＳＴ１３）。
送信部４２は、電子メールデータ３５を無線通信部１１へ出力する。
無線通信部１１は、電子メールデータ３５を基地局へ送信する。
これにより、送信が指示された電子メールデータ３５は、宛先の電子メールアドレスへ送信される。
【００５７】
電子メールデータ３５の送信処理を終えると、送信部４２は、新たに送信した電子メールの情報に基づいて送信履歴データ３６を更新する（ステップＳＴ１４）。
具体的には、送信部４２は、送信した電子メールアドレスと、送信日時とを送信履歴データ３６に追加する。
【００５８】
図６は、図５の電子メールの生成および送信処理において、表示部１３に表示される各種の画面の説明図である。
図６（Ａ）は、アドレス帳データ３１の複数の宛先人名を表示する画面である。
図６（Ａ）には、複数の宛先人の名前が操作部１２より選択可能に表示されている。
図６（Ｂ）は、アドレス帳データ３１の特定の宛先人の情報を表示する画面である。
図６（Ｂ）では、アドレス帳データ３１に登録された宛先人の名前、電話番号、電子メールアドレスが操作部１２より選択可能に表示されている。
図６（Ｃ）は、電子メールの入力画面である。
図６（Ｃ）には、電子メールの送信先の電子メールアドレス、タイトル、添付データの選択ボタン、本文が操作部１２より選択可能に表示されている。
図６（Ｄ）は、添付データの入力画面（選択画面）である。
図６（Ｄ）には、添付ファイルの取得元を示す複数の名前が操作部１２より選択可能に表示されている。
図６（Ｅ）は、抽出部４３により抽出された複数の画像ファイル３３の画像を表示する画面である。
図６（Ｅ）において、複数の画像ファイル３３の画像は、操作部１２より選択可能に表示されている。
【００５９】
そして、操作部１２は、図６（Ａ）において宛先人名「京セラ太郎」を選択し、図６（Ｂ）において電子メールアドレス「ｔａｒｏ＠ｋｙｏｃｅｒａ．ｃｏｍ」を選択する。
また、操作部１２は、図６（Ｃ）において画像を添付するための「添付データ」を選択し、図６（Ｄ）において「画像検索」を選択する。
これにより、表示部１３には、図６（Ｅ）に示すように、抽出部４３により抽出された複数の画像ファイル３３の画像が表示される。
また、操作部１２が図６（Ｅ）の複数の画像ファイル３３の画像から画像を選択すると、選択された画像の画像ファイル３３が生成中の電子メールデータ３５に添付される。
【００６０】
次に、抽出部４３に再検索処理を実行させる場合について説明する。
図７は、図３の抽出部４３に再検索処理を実行させる場合のフローチャートである。
なお、図７には、図５のフローチャートの抽出画像の表示ステップＳＴ８から選択ステップＳＴ９までを図示している。
【００６１】
図７に示すように、生成部４１は、ファイル名リスト３４に基づいて、抽出部４３により抽出された画像ファイル３３の画像を表示部１３に表示する（ステップＳＴ８）。
そして、その抽出された画像ファイル３３の表示画像において、操作部１２から再検索の指示が入力されると、生成部４１は、再検索すると判断する（ステップＳＴ２１）。
生成部４１は、抽出部４３に再検索を指示する（ステップＳＴ２２）。
抽出部４３は、再検索処理を実行し、再検索により抽出した画像ファイル３３のファイル名によりファイル名リスト３４を更新する。
【００６２】
また、抽出部４３の再検索が終了すると、生成部４１は、再検索後のファイル名リスト３４に基づいて、当該リストに登録された画像ファイル３３の画像を表示部１３に表示させる（ステップＳＴ８）。
その後、生成部４１は、操作部１２の入力に基づいて画像を選択し、画像データを電子メールデータ３５に追加する。
【００６３】
図８（Ａ）は、表示部１３に表示される、抽出部４３の１回目の抽出画像の表示画面である。
図８（Ａ）には、抽出された複数の画像がサムネイル表示されている。また、表示画面の下部には、再検索条件の設定ボタンが表示されている。
図８（Ｂ）は、表示部１３に表示される、再検索条件の入力画面である。
図８（Ｂ）には、画像同士の一致率についての複数の判定基準値が操作部１２により選択可能に表示されている。
【００６４】
そして、図８（Ａ）において、設定ボタンが選択されると、生成部４１は、図８（Ｂ）の判定基準値選択画面を表示する。
また、図８（Ｂ）の判定基準値選択画面において１個の判定基準値が選択されると、生成部４１は、図７のステップＳＴ２１において再検索要と判断する。
抽出部４３は、抽出した画像ファイル３３を、選択された一致率を満たすものに絞り込む。
【００６５】
次に、抽出部４３により抽出された画像を、アドレス帳データ３１に新たに登録する処理について説明する。
図９は、図３の生成部４１によりアドレス帳データ３１を更新する場合のフローチャートである。
なお、図９には、図５のフローチャートの抽出画像の表示ステップＳＴ８から選択ステップＳＴ９までを図示している。
【００６６】
図９に示すように、生成部４１は、ファイル名リスト３４に基づいて、抽出部４３により抽出された画像ファイル３３の画像を表示部１３に表示する（ステップＳＴ８）。
そして、その抽出された画像ファイル３３の表示画像において、キー画像の設定指示が入力されると、生成部４１は、キー画像の更新処理を開始する（ステップＳＴ３１）。
生成部４１は、操作部１２により選択された画像をキー画像に選択する（ステップＳＴ３２）。
そして、生成部４１は、選択した画像を、生成中の電子メールの宛先人のキー画像として設定する（ステップＳＴ３３）。
これにより、アドレス帳データ３１には、生成中の電子メールの宛先の電子メールアドレスと、画像ファイル３３のファイル名とが対応付けて登録される。
【００６７】
図１０（Ａ）は、表示部１３に表示される、抽出部４３の抽出画像の表示画面である。
図１０（Ａ）には、抽出された複数の画像がサムネイル表示されている。また、表示画面の下部には、キー画像の設定ボタンが表示されている。
図１０（Ｂ）は、表示部１３に表示される、アドレス帳データ３１の更新終了通知画面である。
図１０（Ｂ）には、アドレス帳データ３１の上書き更新が終了した旨を表示している。
【００６８】
そして、図１０（Ａ）において、設定ボタンが選択されると、生成部４１は、図９のステップＳＴ３１において、キー画像の更新要と判断する。
その後、画像が選択されると、生成部４１は、選択された画像をキー画像としてアドレス帳データ３１に登録する。
【００６９】
以上のように、本実施形態では、ユーザが作成中の電子メールに対して宛先の電子メールアドレスを入力すると、抽出部４３により、当該アドレスの宛先人の画像を含む画像ファイル３３が抽出される。
また、ユーザが添付ファイルの選択画面の表示操作をすると、抽出された画像ファイル３３が、添付ファイル候補として選択可能に表示される。
よって、ユーザは、添付ファイルを選択する場合に、記憶部１８に記憶された複数のファイルを表示させ、この中から添付ファイルを選択する必要がない。
ユーザによる添付ファイルの選択操作は、容易になる。
【００７０】
また、本実施形態では、抽出処理を、作成中の電子メールに対する宛先の電子メールアドレスの入力に基づいて実行する。
そのため、本実施形態では、ユーザが添付ファイルを選択する操作をするときには、抽出処理が原則終了している。
よって、抽出した画像ファイル３３を、即座に表示することが可能である。
【００７１】
また、本実施形態では、抽出部４３が抽出した画像ファイル３３を表示部１３に表示した後に、一致率の追加の検索条件が入力されると、その追加検索条件により画像ファイル３３を絞り込んで、添付ファイル候補として表示する。
よって、ユーザは、抽出部４３の１回目の抽出処理に対して検索条件を追加することにより、さらに絞り込んだ画像ファイル３３の中から所望のファイルを選択することができる。
【００７２】
以上の実施形態は、本発明の好適な実施形態の例であるが、本発明は、これに限定されるものではなく、発明の要旨を逸脱しない範囲において種々の変形または変更が可能である。
【００７３】
たとえば上記実施形態では、添付ファイルとして抽出されるファイルとして画像ファイル３３が説明されている。
この他にも例えば、添付ファイルとして抽出されるファイルは、楽曲や音声のファイルであっても、動画のファイルであってもよい。
この場合、アドレス帳データ３１は、各電子メールアドレスに対応付けて、宛先人の声の録音ファイルを対応付け、この音声をキーとしてファイルを抽出すればよい。
【００７４】
上記実施形態では、抽出部４３が抽出した画像ファイル３３に対する追加検索条件としてキー画像との一致率を選択させている。
この他にも例えば、追加検索条件として、日付、画像中の当該宛先人の移り込みサイズ、風景、スナップショットなどの画像ジャンルなどを入力させるようにしてもよい。
【００７５】
上記実施形態では、電子メールの宛先として、１個の電子メールアドレスが入力された場合を例に説明している。
この他にも例えば、電子メールの宛先として、複数個の電子メールアドレスが入力されてもよい。
複数の電子メールアドレスが入力された場合、抽出部４３は、その内の１個の電子メールアドレスについて抽出処理を実行しても、電子メールアドレス毎に抽出処理を実行してもよい。
また、抽出部４３は、複数の電子メールアドレスに対応する複数の画像をキー画像に用いて抽出処理を実行してもよい。
【００７６】
また、上記実施形態では、１個の電子メールアドレスが入力された場合に、当該アドレスの宛先人の画像をキー画像に用いて前記ファイル記憶部１８を検索している。
ところで、上記実施形態のアドレス帳データ３１では、複数の宛先人は、グループが対応付けられている。
そのため、この他にも例えば、抽出部４３は、あるグループに属する一人の電子メールアドレスが入力された場合、当該グループの複数の宛先人の画像をキー画像に用いて前記ファイル記憶部１８を検索してもよい。
この場合において、抽出部４３は、その内の少なくとも１個のキー画像を含む画像ファイル３３を抽出しても、すべてのキー画像を含む画像のファイルを抽出してもよい。
【００７７】
上記実施形態では、抽出部４３は、キー画像のみを用いて画像ファイル３３を抽出している。
この他にも例えば、記憶部１８には、過去に送受信した電子メールの送信日時と宛先人とを対応付けて記憶させ、抽出部４３は、この情報を用いて画像ファイル３３を抽出してもよい。
この場合において、抽出部４３は、たとえば送信履歴データ３６などの電子メールの送受信の履歴データから、入力された電子メールアドレスに対して最後に送受信した日時を取得し、当該日時よりも後に撮像された画像ファイル３３を抽出すればよい。
さらに他にも例えば、抽出部４３は、電子メールのタイトルまたは本文に入力されたテキストデータを用いて、テキストデータと関連性のある画像ファイル３３を抽出してもよい。
たとえば、記憶部１８は、各画像ファイル３３の撮像日時を記憶し、抽出部４３は、テキストデータから日時情報を抽出し、抽出した日に撮像された画像ファイル３３を抽出してもよい。
また、抽出部４３は、キー画像に替えて、テキストデータを検索キーに用いて画像ファイル３３などを抽出してもよい。
【００７８】
上記実施形態は、携帯電話機の例である。
この他にも例えば、本発明は、ＰＨＳ端末、ＰＤＡ、携帯ゲーム機器、携帯ナビゲーション装置、パーソナルコンピュータ装置、車載電子機器などに適用できる。
【符号の説明】
【００７９】
１…携帯電話機（電子機器）、１２…操作部、１３…表示部、１６…撮像部、２２…外記憶部（ファイル記憶部）、３３…画像ファイル（ファイル）、３５…電子メールデータ、４１…生成部、４３…抽出部
【図１】
2011095896.tif 000003
【図２】
2011095896.tif 000004
【図３】
2011095896.tif 000005
【図４】
2011095896.tif 000006
【図５】
2011095896.tif 000007
【図６】
2011095896.tif 000008
【図７】
2011095896.tif 000009
【図８】
2011095896.tif 000010
【図９】
2011095896.tif 000011
【図１０】
2011095896.tif 000012